(57)【特許請求の範囲】
【請求項１】
基地局装置から物理下りリンク制御チャネルと拡張された物理下りリンク制御チャネルを受信する移動局装置において、
ランダムアクセスプロシージャを開始するために用いられる第１の情報を前記拡張された物理下りリンク制御チャネルで、前記基地局装置から受信し、
前記第１の情報に従って、ランダムアクセスプリアンブルを物理ランダムアクセスチャネルで前記基地局装置に送信し、
前記ランダムアクセスプリアンブルの送信に対するランダムアクセスレスポンスのスケジューリングに用いられる第２の情報を前記物理下りリンク制御チャネルで前記基地局装置から受信し、
前記第２の情報に従って前記ランダムアクセスレスポンスを物理下りリンク共用チャネルで前記基地局装置から受信する
ことを特徴とする移動局装置。
【請求項２】
基地局装置から物理下りリンク制御チャネルと拡張された物理下りリンク制御チャネルを受信する移動局装置において、
プライマリーセルでのランダムアクセスプロシージャを開始するために用いられる第１の情報を前記物理下りリンク制御チャネルで、前記基地局装置から受信し、
セカンダリーセルでのランダムアクセスプロシージャを開始するために用いられる第２の情報を前記拡張された物理下りリンク制御チャネルで、前記基地局装置から受信する
ことを特徴とする移動局装置。
【請求項３】
移動局装置に物理下りリンク制御チャネルと拡張された物理下りリンク制御チャネルを送信する基地局装置において、
ランダムアクセスプロシージャを開始するために用いられる第１の情報を前記拡張された物理下りリンク制御チャネルで、前記移動局装置に送信し、
前記移動局装置が前記第１の情報に従って送信したランダムアクセスプリアンブルを、物理ランダムアクセスチャネルで前記移動局装置から受信し、
前記ランダムアクセスプリアンブルの送信に対するランダムアクセスレスポンスのスケジューリングに用いられる第２の情報を前記物理下りリンク制御チャネルで前記移動局装置に送信し、
前記ランダムアクセスレスポンスを物理下りリンク共用チャネルで前記移動局装置に送信する
ことを特徴とする基地局装置。
【請求項４】
移動局装置に物理下りリンク制御チャネルと拡張された物理下りリンク制御チャネルを送信する基地局装置において、
プライマリーセルでのランダムアクセスプロシージャを開始するために用いられる第１の情報を前記物理下りリンク制御チャネルで、前記移動局装置に送信し、
セカンダリーセルでのランダムアクセスプロシージャを開始するために用いられる第２の情報を前記拡張された物理下りリンク制御チャネルで、前記移動局装置に送信する
ことを特徴とする基地局装置。
【請求項５】
基地局装置から物理下りリンク制御チャネルと拡張された物理下りリンク制御チャネルを受信する移動局装置に用いられる無線通信方法において、
ランダムアクセスプロシージャを開始するために用いられる第１の情報を前記拡張された物理下りリンク制御チャネルで、前記基地局装置から受信し、
前記第１の情報に従って、ランダムアクセスプリアンブルを物理ランダムアクセスチャネルで前記基地局装置に送信し、
前記ランダムアクセスプリアンブルの送信に対するランダムアクセスレスポンスのスケジューリングに用いられる第２の情報を前記物理下りリンク制御チャネルで前記基地局装置から受信し、
前記第２の情報に従って前記ランダムアクセスレスポンスを物理下りリンク共用チャネルで前記基地局装置から受信する
ことを特徴とする無線通信方法。
【請求項６】
基地局装置から物理下りリンク制御チャネルと拡張された物理下りリンク制御チャネルを受信する移動局装置に用いられる無線通信方法において、
プライマリーセルでのランダムアクセスプロシージャを開始するために用いられる第１の情報を前記物理下りリンク制御チャネルで、前記基地局装置から受信し、
セカンダリーセルでのランダムアクセスプロシージャを開始するために用いられる第２の情報を前記拡張された物理下りリンク制御チャネルで、前記基地局装置から受信する
ことを特徴とする無線通信方法。
【請求項７】
移動局装置に物理下りリンク制御チャネルと拡張された物理下りリンク制御チャネルを送信する基地局装置に用いられる無線通信方法において、
ランダムアクセスプロシージャを開始するために用いられる第１の情報を前記拡張された物理下りリンク制御チャネルで、前記移動局装置に送信し、
前記移動局装置が前記第１の情報に従って送信したランダムアクセスプリアンブルを、物理ランダムアクセスチャネルで前記移動局装置から受信し、
前記ランダムアクセスプリアンブルの送信に対するランダムアクセスレスポンスのスケジューリングに用いられる第２の情報を前記物理下りリンク制御チャネルで前記移動局装置に送信し、
前記ランダムアクセスレスポンスを物理下りリンク共用チャネルで前記移動局装置に送信する
ことを特徴とする無線通信方法。
【請求項８】
移動局装置に物理下りリンク制御チャネルと拡張された物理下りリンク制御チャネルを送信する基地局装置に用いられる無線通信方法において、
プライマリーセルでのランダムアクセスプロシージャを開始するために用いられる第１の情報を前記物理下りリンク制御チャネルで、前記移動局装置に送信し、
セカンダリーセルでのランダムアクセスプロシージャを開始するために用いられる第２の情報を前記拡張された物理下りリンク制御チャネルで、前記移動局装置に送信する
ことを特徴とする無線通信方法。
【請求項９】
基地局装置から物理下りリンク制御チャネルと拡張された物理下りリンク制御チャネルを受信する移動局装置に用いられる集積回路において、
ランダムアクセスプロシージャを開始するために用いられる第１の情報を前記拡張された物理下りリンク制御チャネルで、前記基地局装置から受信し、
前記第１の情報に従って、ランダムアクセスプリアンブルを物理ランダムアクセスチャネルで前記基地局装置に送信し、
前記ランダムアクセスプリアンブルの送信に対するランダムアクセスレスポンスのスケジューリングに用いられる第２の情報を前記物理下りリンク制御チャネルで前記基地局装置から受信し、
前記第２の情報に従って前記ランダムアクセスレスポンスを物理下りリンク共用チャネルで前記基地局装置から受信する
ことを特徴とする集積回路。
【請求項１０】
基地局装置から物理下りリンク制御チャネルと拡張された物理下りリンク制御チャネルを受信する移動局装置に用いられる集積回路において、
プライマリーセルでのランダムアクセスプロシージャを開始するために用いられる第１の情報を前記物理下りリンク制御チャネルで、前記基地局装置から受信し、
セカンダリーセルでのランダムアクセスプロシージャを開始するために用いられる第２の情報を前記拡張された物理下りリンク制御チャネルで、前記基地局装置から受信する
ことを特徴とする集積回路。
【請求項１１】
移動局装置に物理下りリンク制御チャネルと拡張された物理下りリンク制御チャネルを送信する基地局装置に用いられる集積回路において、
ランダムアクセスプロシージャを開始するために用いられる第１の情報を前記拡張された物理下りリンク制御チャネルで、前記移動局装置に送信し、
前記移動局装置が前記第１の情報に従って送信したランダムアクセスプリアンブルを、物理ランダムアクセスチャネルで前記移動局装置から受信し、
前記ランダムアクセスプリアンブルの送信に対するランダムアクセスレスポンスのスケジューリングに用いられる第２の情報を前記物理下りリンク制御チャネルで前記移動局装置に送信し、
前記ランダムアクセスレスポンスを物理下りリンク共用チャネルで前記移動局装置に送信する
ことを特徴とする集積回路。
【請求項１２】
移動局装置に物理下りリンク制御チャネルと拡張された物理下りリンク制御チャネルを送信する基地局装置に用いられる集積回路において、
プライマリーセルでのランダムアクセスプロシージャを開始するために用いられる第１の情報を前記物理下りリンク制御チャネルで、前記移動局装置に送信し、
セカンダリーセルでのランダムアクセスプロシージャを開始するために用いられる第２の情報を前記拡張された物理下りリンク制御チャネルで、前記移動局装置に送信する
ことを特徴とする集積回路。
【発明の詳細な説明】
【技術分野】
【０００１】
本発明は、移動局装置、基地局装置、無線通信方法、無線通信システムおよび集積回路に関する。
【背景技術】
【０００２】
セルラー移動通信の無線アクセス方式および無線ネットワークの進化（以下、「Long Term Evolution （LTE）」、または、「Evolved Universal Terrestrial Radio Access （EUTRA）」と称する。）が、第三世代パートナーシッププロジェクト（3rd Generation Partnership Project: 3GPP）において検討されている。ＬＴＥでは、基地局装置から移動局装置への無線通信（下りリンク）の通信方式として、マルチキャリア送信である直交周波数分割多重（Orthogonal Frequency Division Multiplexing: OFDM）方式が用いられる。また、移動局装置から基地局装置への無線通信（上りリンク）の通信方式として、シングルキャリア送信であるＳＣ−ＦＤＭＡ（Single-Carrier Frequency Division Multiple Access）方式が用いられる。ＬＴＥでは、基地局装置をevolved NodeB（eNodeB）、移動局装置をUser Equipment （UE）と称する。
【０００３】
ＬＴＥにおいて、基地局装置は、物理上りリンク共用チャネル（Physical Uplink Shared Channel: PUSCH）または物理下りリンク共用チャネル（Physical Downlink Shared Channel: PDSCH）のスケジューリングに用いられる下りリンク制御情報（Downlink Control Information: DCI）を物理下りリンク制御チャネル（Physical Downlink Control Channel: PDCCH）を用いて送信する。
【０００４】
３ＧＰＰでは、１つの基地局が収容できる端末の数を増加するために、下りリンク制御情報の送信に対して、拡張された物理下りリンク制御チャネル（Enhanced-Physical Downlink Control Channel: E-PDCCH）を用いることが検討されている（非特許文献１）。Ｅ−ＰＤＣＣＨは、ＰＤＳＣＨ領域に配置される。
【０００５】
ＬＴＥにおいて、移動局装置１が基地局装置３と時間領域の同期（上りリンク送信に対するタイミング調整）をとることを主な目的として、移動局装置はランダムアクセスを行なう（非特許文献２）。ランダムアクセスは、初期コネクション確立（initial connection establishment）プロシージャ、ハンドオーバプロシージャ、コネクション再確立（connection re-establishment）プロシージャ、および上りリンク無線リソースの割り当ての要求にも用いられる。
【先行技術文献】
【非特許文献】
【０００６】
【非特許文献１】"Enhancements for UE specific control signaling", R1-111332, 3GPP TSG-RAN WG1 Meeting #65, Barcelona, Spain, 9th - 13th May 2011.
【非特許文献２】"TS36.321 v10.2.0", 3GPP, 24 June 2011.
【発明の概要】
【発明が解決しようとする課題】
【０００７】
しかしながら、従来の技術では、物理ランダムアクセスチャネル（Physical Random Access Channel: PRACH）、物理上りリンク共用チャネル（Physical Uplink Shared Channel: PUSCH）、物理下りリンク共用チャネル（Physical Downlink Shared Channel: PDSCH）および物理下りリンク制御チャネル（Physical Downlink Control Channel: PDCCH）を用いて移動局装置と基地局装置がランダムアクセスプロシージャを行なっており、Ｅ−ＰＤＣＣＨをデコードするよう設定された移動局装置が、効率的にランダムアクセスプロシージャを行なうことができないという問題があった。
【０００８】
本発明は上記の点に鑑みてなされたものであり、その目的は、Ｅ−ＰＤＣＣＨをデコードするよう設定された移動局装置が、効率的にランダムアクセスプロシージャを行なうことができる移動局装置、基地局装置、無線通信方法、無線通信システムおよび集積回路を提供することを目的とする。
【課題を解決するための手段】
【０００９】
（１）上記の目的を達成するために、本発明は、以下のような手段を講じた。すなわち、本発明の移動局装置は、基地局装置から物理下りリンク制御チャネルと拡張された物理下りリンク制御チャネルを受信する移動局装置であって、ランダムアクセスプロシージャの開始を指示する第１の情報を前記拡張された物理下りリンク制御チャネルで、前記基地局装置から受信し、前記第１の情報に従って、ランダムアクセスプリアンブルを物理ランダムアクセスチャネルで前記基地局装置に送信し、前記ランダムアクセスプリアンブルの送信に対するランダムアクセスレスポンスのスケジューリングに用いられる第２の情報を前記物理下りリンク制御チャネルで前記基地局装置から受信し、前記第２の情報に従って前記ランダムアクセスレスポンスを物理下りリンク共用チャネルで前記基地局装置から受信することを特徴としている。
【００１０】
（２）また、本発明の移動局装置は、基地局装置から物理下りリンク制御チャネルと拡張された物理下りリンク制御チャネルを受信する移動局装置であって、ランダムアクセスプロシージャの開始を指示する第１の情報を前記物理下りリンク制御チャネルまたは前記拡張された物理下りリンク制御チャネルで、前記基地局装置から受信し、前記第１の情報に従って、ランダムアクセスプリアンブルを物理ランダムアクセスチャネルで前記基地局装置に送信し、前記物理下りリンク制御チャネルで前記第１の情報を受信した場合には、前記ランダムアクセスプリアンブルの送信に対するランダムアクセスレスポンスのスケジューリングに用いられる第２の情報を前記物理下りリンク制御チャネルで前記基地局装置から受信し、前記拡張された物理下りリンク制御チャネルで前記第１の情報を受信した場合には、前記第２の情報を前記拡張された物理下りリンク制御チャネルで前記基地局装置から受信し、前記第２の情報に従って前記ランダムアクセスレスポンスを物理下りリンク共用チャネルで前記基地局装置から受信することを特徴としている。
【００１１】
（３）また、本発明の移動局装置は、基地局装置から物理下りリンク制御チャネルと拡張された物理下りリンク制御チャネルを受信する移動局装置であって、プライマリーセルでのランダムアクセスプロシージャの開始を指示する第１の情報を前記物理下りリンク制御チャネルで、前記基地局装置から受信し、
セカンダリーセルでのランダムアクセスプロシージャの開始を指示する第２の情報を前記拡張された物理下りリンク制御チャネルで、前記基地局装置から受信することを特徴としている。
【００１２】
（４）また、本発明は、上記の移動局装置において、前記物理下りリンク制御チャネルと前記拡張された物理下りリンク制御チャネルを同時にモニタし、前記拡張された物理下りリンク制御チャネルは、物理下りリンク共用チャネル領域に配置されることを特徴としている。
【００１３】
（５）また、本発明の基地局装置は、移動局装置に物理下りリンク制御チャネルと拡張された物理下りリンク制御チャネルを送信する基地局装置であって、ランダムアクセスプロシージャの開始を指示する第１の情報を（明細書では書く：前記物理下りリンク制御チャネルまたは）前記拡張された物理下りリンク制御チャネルで、前記移動局装置に送信し、前記移動局装置が前記第１の情報に従って送信したランダムアクセスプリアンブルを、物理ランダムアクセスチャネルで前記移動局装置から受信し、前記ランダムアクセスプリアンブルの送信に対するランダムアクセスレスポンスのスケジューリングに用いられる第２の情報を前記物理下りリンク制御チャネルで前記移動局装置に送信し、前記ランダムアクセスレスポンスを物理下りリンク共用チャネルで前記移動局装置に送信することを特徴としている。
【００１４】
（６）また、本発明の基地局装置は、移動局装置に物理下りリンク制御チャネルと拡張された物理下りリンク制御チャネルを送信する基地局装置であって、ランダムアクセスプロシージャの開始を指示する第１の情報を前記物理下りリンク制御チャネルまたは前記拡張された物理下りリンク制御チャネルで、前記移動局装置に送信し、前記移動局装置が前記第１の情報に従って送信したランダムアクセスプリアンブルを、物理ランダムアクセスチャネルで前記移動局装置から受信し、前記物理下りリンク制御チャネルで前記第１の情報を送信した場合には、前記ランダムアクセスプリアンブルの送信に対するランダムアクセスレスポンスのスケジューリングに用いられる第２の情報を前記物理下りリンク制御チャネルで前記移動局装置に送信し、前記拡張された物理下りリンク制御チャネルで前記第１の情報を送信した場合には、前記第２の情報を前記拡張された物理下りリンク制御チャネルで前記移動局装置に送信し、前記ランダムアクセスレスポンスを物理下りリンク共用チャネルで前記移動局装置に送信する  ことを特徴としている。
【００１５】
（７）また、本発明の基地局装置は、移動局装置に物理下りリンク制御チャネルと拡張された物理下りリンク制御チャネルを送信する基地局装置であって、プライマリーセルでのランダムアクセスプロシージャの開始を指示する第１の情報を前記物理下りリンク制御チャネルで、前記移動局装置に送信し、  セカンダリーセルでのランダムアクセスプロシージャの開始を指示する第２の情報を前記拡張された物理下りリンク制御チャネルで、前記移動局装置に送信することを特徴としている。
【００１６】
（８）また、本発明の無線通信方法は、基地局装置から物理下りリンク制御チャネルと拡張された物理下りリンク制御チャネルを受信する移動局装置に用いられる無線通信方法であって、ランダムアクセスプロシージャの開始を指示する第１の情報を前記拡張された物理下りリンク制御チャネルで、前記基地局装置から受信し、前記第１の情報に従って、ランダムアクセスプリアンブルを物理ランダムアクセスチャネルで前記基地局装置に送信し、前記ランダムアクセスプリアンブルの送信に対するランダムアクセスレスポンスのスケジューリングに用いられる第２の情報を前記物理下りリンク制御チャネルで前記基地局装置から受信し、前記第２の情報に従って前記ランダムアクセスレスポンスを物理下りリンク共用チャネルで前記基地局装置から受信することを特徴としている。
【００１７】
（９）また、本発明の無線通信方法は、基地局装置から物理下りリンク制御チャネルと拡張された物理下りリンク制御チャネルを受信する移動局装置に用いられる無線通信方法であって、ランダムアクセスプロシージャの開始を指示する第１の情報を前記物理下りリンク制御チャネルまたは前記拡張された物理下りリンク制御チャネルで、前記基地局装置から受信し、前記第１の情報に従って、ランダムアクセスプリアンブルを物理ランダムアクセスチャネルで前記基地局装置に送信し、前記物理下りリンク制御チャネルで前記第１の情報を受信した場合には、前記ランダムアクセスプリアンブルの送信に対するランダムアクセスレスポンスのスケジューリングに用いられる第２の情報を前記物理下りリンク制御チャネルで前記基地局装置から受信し、前記拡張された物理下りリンク制御チャネルで前記第１の情報を受信した場合には、前記第２の情報を前記拡張された物理下りリンク制御チャネルで前記基地局装置から受信し、前記第２の情報に従って前記ランダムアクセスレスポンスを物理下りリンク共用チャネルで前記基地局装置から受信することを特徴としている。
【００１８】
（１０）また、本発明の無線通信方法は、基地局装置から物理下りリンク制御チャネルと拡張された物理下りリンク制御チャネルを受信する移動局装置に用いられる無線通信方法であって、プライマリーセルでのランダムアクセスプロシージャの開始を指示する第１の情報を前記物理下りリンク制御チャネルで、前記基地局装置から受信し、セカンダリーセルでのランダムアクセスプロシージャの開始を指示する第２の情報を前記拡張された物理下りリンク制御チャネルで、前記基地局装置から受信することを特徴としている。
【００１９】
（１１）また、本発明の無線通信方法は、移動局装置に物理下りリンク制御チャネルと拡張された物理下りリンク制御チャネルを送信する基地局装置に用いられる無線通信方法であって、ランダムアクセスプロシージャの開始を指示する第１の情報を前記拡張された物理下りリンク制御チャネルで、前記移動局装置に送信し、前記移動局装置が前記第１の情報に従って送信したランダムアクセスプリアンブルを、物理ランダムアクセスチャネルで前記移動局装置から受信し、前記ランダムアクセスプリアンブルの送信に対するランダムアクセスレスポンスのスケジューリングに用いられる第２の情報を前記物理下りリンク制御チャネルで前記移動局装置に送信し、前記ランダムアクセスレスポンスを物理下りリンク共用チャネルで前記移動局装置に送信することを特徴としている。
【００２０】
（１２）また、本発明の無線通信方法は、移動局装置に物理下りリンク制御チャネルと拡張された物理下りリンク制御チャネルを送信する基地局装置に用いられる無線通信方法であって、ランダムアクセスプロシージャの開始を指示する第１の情報を前記物理下りリンク制御チャネルまたは前記拡張された物理下りリンク制御チャネルで、前記移動局装置に送信し、前記移動局装置が前記第１の情報に従って送信したランダムアクセスプリアンブルを、物理ランダムアクセスチャネルで前記移動局装置から受信し、前記物理下りリンク制御チャネルで前記第１の情報を送信した場合には、前記ランダムアクセスプリアンブルの送信に対するランダムアクセスレスポンスのスケジューリングに用いられる第２の情報を前記物理下りリンク制御チャネルで前記移動局装置に送信し、前記拡張された物理下りリンク制御チャネルで前記第１の情報を送信した場合には、前記第２の情報を前記拡張された物理下りリンク制御チャネルで前記移動局装置に送信し、前記ランダムアクセスレスポンスを物理下りリンク共用チャネルで前記移動局装置に送信することを特徴としている。
【００２１】
（１３）また、本発明の無線通信方法は、移動局装置に物理下りリンク制御チャネルと拡張された物理下りリンク制御チャネルを送信する基地局装置に用いられる無線通信方法であって、プライマリーセルでのランダムアクセスプロシージャの開始を指示する第１の情報を前記物理下りリンク制御チャネルで、前記移動局装置に送信し、セカンダリーセルでのランダムアクセスプロシージャの開始を指示する第２の情報を前記拡張された物理下りリンク制御チャネルで、前記移動局装置に送信することを特徴としている。
【００２２】
（１４）また、本発明の集積回路は、基地局装置から物理下りリンク制御チャネルと拡張された物理下りリンク制御チャネルを受信する移動局装置に用いられる集積回路であって、ランダムアクセスプロシージャの開始を指示する第１の情報を前記拡張された物理下りリンク制御チャネルで、前記基地局装置から受信し、前記第１の情報に従って、ランダムアクセスプリアンブルを物理ランダムアクセスチャネルで前記基地局装置に送信し、前記ランダムアクセスプリアンブルの送信に対するランダムアクセスレスポンスのスケジューリングに用いられる第２の情報を前記物理下りリンク制御チャネルで前記基地局装置から受信し、前記第２の情報に従って前記ランダムアクセスレスポンスを物理下りリンク共用チャネルで前記基地局装置から受信することを特徴としている。
【００２３】
（１５）また、本発明の集積回路は、基地局装置から物理下りリンク制御チャネルと拡張された物理下りリンク制御チャネルを受信する移動局装置に用いられる集積回路であって、ランダムアクセスプロシージャの開始を指示する第１の情報を前記物理下りリンク制御チャネルまたは前記拡張された物理下りリンク制御チャネルで、前記基地局装置から受信し、前記第１の情報に従って、ランダムアクセスプリアンブルを物理ランダムアクセスチャネルで前記基地局装置に送信し、前記物理下りリンク制御チャネルで前記第１の情報を受信した場合には、前記ランダムアクセスプリアンブルの送信に対するランダムアクセスレスポンスのスケジューリングに用いられる第２の情報を前記物理下りリンク制御チャネルで前記基地局装置から受信し、前記拡張された物理下りリンク制御チャネルで前記第１の情報を受信した場合には、前記第２の情報を前記拡張された物理下りリンク制御チャネルで前記基地局装置から受信し、前記第２の情報に従って前記ランダムアクセスレスポンスを物理下りリンク共用チャネルで前記基地局装置から受信することを特徴としている。
【００２４】
（１６）また、本発明の集積回路は、基地局装置から物理下りリンク制御チャネルと拡張された物理下りリンク制御チャネルを受信する移動局装置に用いられる集積回路であって、プライマリーセルでのランダムアクセスプロシージャの開始を指示する第１の情報を前記物理下りリンク制御チャネルで、前記基地局装置から受信し、セカンダリーセルでのランダムアクセスプロシージャの開始を指示する第２の情報を前記拡張された物理下りリンク制御チャネルで、前記基地局装置から受信することを特徴としている。
【００２５】
（１７）また、本発明の集積回路は、移動局装置に物理下りリンク制御チャネルと拡張された物理下りリンク制御チャネルを送信する基地局装置に用いられる集積回路であって、ランダムアクセスプロシージャの開始を指示する第１の情報を前記拡張された物理下りリンク制御チャネルで、前記移動局装置に送信し、前記移動局装置が前記第１の情報に従って送信したランダムアクセスプリアンブルを、物理ランダムアクセスチャネルで前記移動局装置から受信し、前記ランダムアクセスプリアンブルの送信に対するランダムアクセスレスポンスのスケジューリングに用いられる第２の情報を前記物理下りリンク制御チャネルで前記移動局装置に送信し、前記ランダムアクセスレスポンスを物理下りリンク共用チャネルで前記移動局装置に送信することを特徴としている。
【００２６】
（１８）また、本発明の集積回路は、移動局装置に物理下りリンク制御チャネルと拡張された物理下りリンク制御チャネルを送信する基地局装置に用いられる集積回路であって、ランダムアクセスプロシージャの開始を指示する第１の情報を前記物理下りリンク制御チャネルまたは前記拡張された物理下りリンク制御チャネルで、前記移動局装置に送信し、前記移動局装置が前記第１の情報に従って送信したランダムアクセスプリアンブルを、物理ランダムアクセスチャネルで前記移動局装置から受信し、前記物理下りリンク制御チャネルで前記第１の情報を送信した場合には、前記ランダムアクセスプリアンブルの送信に対するランダムアクセスレスポンスのスケジューリングに用いられる第２の情報を前記物理下りリンク制御チャネルで前記移動局装置に送信し、前記拡張された物理下りリンク制御チャネルで前記第１の情報を送信した場合には、前記第２の情報を前記拡張された物理下りリンク制御チャネルで前記移動局装置に送信し、前記ランダムアクセスレスポンスを物理下りリンク共用チャネルで前記移動局装置に送信することを特徴としている。
【００２７】
（１９）また、本発明の集積回路は、移動局装置に物理下りリンク制御チャネルと拡張された物理下りリンク制御チャネルを送信する基地局装置に用いられる集積回路であって、プライマリーセルでのランダムアクセスプロシージャの開始を指示する第１の情報を前記物理下りリンク制御チャネルで、前記移動局装置に送信し、セカンダリーセルでのランダムアクセスプロシージャの開始を指示する第２の情報を前記拡張された物理下りリンク制御チャネルで、前記移動局装置に送信することを特徴としている。
【発明の効果】
【００２８】
この発明によれば、Ｅ−ＰＤＣＣＨをデコードするよう設定された移動局装置が、効率的にランダムアクセスプロシージャを行なうことができる。
【図面の簡単な説明】
【００２９】
【図１】本発明の実施形態に係る無線通信システムの概念図である。
【図２】本発明のセル集約の一例を示す図である。
【図３】本発明のＰＤＣＣＨ受信モードとＤＣＩフォーマットとサーチペースの関係を示す図である。
【図４】本発明のＰＤＣＣＨ候補の構成を示す図である。
【図５】本発明のＰＤＣＣＨ領域内のサーチスペースを示す図である。
【図６】本発明のＰＤＣＣＨのマッピング方法を示す図である。
【図７】本発明のＥ−ＰＤＣＣＨのマッピング方法を示す図である。
【図８】本発明の基地局装置３の構成を示す概略ブロック図である。
【図９】本発明の移動局装置１の構成を示す概略ブロック図である。
【図１０】本発明のランダムアクセスプロシージャを示す図である。
【図１１】本発明の第２の実施形態におけるＰＤＣＣＨ受信モードとＤＣＩフォーマットとサーチペースの関係を示す図である。
【発明を実施するための形態】
【００３０】
以下、図面を参照しながら本発明の第１の実施形態について詳しく説明する。
【００３１】
まず、本発明の物理チャネルについて説明する。
【００３２】
図１は、本発明の実施形態に係る無線通信システムの概念図である。図１において、無線通信システムは、移動局装置１Ａ〜１Ｃ、および基地局装置３を具備する。図１は、基地局装置３から移動局装置１Ａ〜１Ｃへの無線通信（下りリンク）では、同期信号（Synchronization signal: SS）、下りリンク参照信号（Downlink Reference Signal: DL RS）、物理報知チャネル（Physical Broadcast Channel: PBCH）、物理下りリンク制御チャネル（Physical Downlink Control Channel: PDCCH）、拡張された物理下りリンク制御チャネル（Enhanced-Physical Downlink Control Channel: E-PDCCH）、物理下りリンク共用チャネル（Physical Downlink Shared Channel: PDSCH）、物理マルチキャストチャネル（Physical Multicast Channel: PMCH）、物理制御フォーマットインディケータチャネル（Physical Control Format Indicator Channel: PCFICH）、物理ＨＡＲＱインディケータチャネル（Physical Hybrid ARQ Indicator Channel: PHICH）が用いられることを示す。
【００３３】
また、図１は、移動局装置１Ａ〜１Ｃから基地局装置３への無線通信（上りリンク）では、上りリンク参照信号（Uplink Reference Signal: UL RS）、物理上りリンク制御チャネル（Physical Uplink Control Channel: PUCCH）、物理上りリンク共用チャネル（Physical Uplink Shared Channel: PUSCH）、物理ランダムアクセスチャネル（Physical Random Access Channel: PRACH）が用いられることを示す。以下、移動局装置１Ａ〜１Ｃを移動局装置１という。
【００３４】
同期信号は、移動局装置１が下りリンクの周波数領域および時間領域の同期をとるために用いられる信号である。下りリンク参照信号は、移動局装置１が下りリンクの周波数領域および時間領域の同期をとるために用いられたり、移動局装置１が下りリンクの受信品質を測定するために用いられたり、移動局装置１がＰＤＳＣＨやＰＤＣＣＨの伝搬路補正を行なうために用いられる信号である。ＰＢＣＨは、システム情報（Broadcast Channel: BCH）を報知するために用いられる物理チャネルである。ＰＢＣＨで送信されるシステム情報を、MasterInformationBlock（ＭＩＢ）と称する。
【００３５】
ＰＤＣＣＨとＥ−ＰＤＣＣＨとは、下りリンクアサインメント（downlink assignment、またはdownlink grantとも称する。）や上りリンクグラント（uplink grant）などの下りリンク制御情報（Downlink Control Information: DCI）を送信するために用いられる物理チャネルである。Ｅ−ＰＤＣＣＨはＰＤＳＣＨ領域にマップされる。下りリンクアサインメントは、ＰＤＳＣＨに対する変調方式および符号化率に関する情報（Modulation and Coding Scheme: MCS）、無線リソースの割り当てを示す情報、ＰＵＣＣＨに対するＴＰＣコマンド（Transmission Power Control command）などから構成される。上りリンクグラントは、ＰＵＳＣＨに対する変調方式および符号化率に関する情報、無線リソースの割り当てを示す情報、ＰＵＳＣＨに対するＴＰＣコマンドなどから構成される。
【００３６】
下りリンク制御情報には複数のフォーマットが用いられる。下りリンク制御情報のフォーマットをＤＣＩフォーマット（DCI format）と呼ぶ。例えば、ＤＣＩフォーマット０は、単一のセル内のシングルアンテナポート送信方式のＰＵＳＣＨのスケジューリングに用いられる。ＤＣＩフォーマット４は、単一のセル内のマルチアンテナポート送信方式のＰＵＳＣＨのスケジューリングに用いられる。ＤＣＩフォーマット１Ａは、単一のセル内のシングルアンテナポート送信方式またはトランスミッションダイバーシチ送信方式のＰＤＳＣＨのスケジューリングに用いられる。ＤＣＩフォーマット２は、単一のセル内のマルチアンテナポート送信方式のＰＤＳＣＨのスケジューリングに用いられる。ＤＣＩフォーマット０およびＤＣＩフォーマット４は上りリンクグラントである。ＤＣＩフォーマット１ＡおよびＤＣＩフォーマット２は下りリンクアサインメントである。
【００３７】
ＰＤＳＣＨは、ページング情報（Paging Channel: PCH）、ＰＢＣＨで送信されるシステム情報とは異なるシステム情報および下りリンクデータ（Downlink Shared Channel: DL-SCH）を送信するために用いられる物理チャネルである。ＰＤＳＣＨで送信されるシステム情報を、SystemInformationBlock（ＳＩＢ）と称する。ＰＭＣＨは、ＭＢＭＳ（Multimedia Broadcast and Multicast Service）に関する情報（Multicast Channel: MCH）を送信するために用いられる物理チャネルである。ＰＣＦＩＣＨは、ＰＤＣＣＨが配置される領域を示す情報を送信するために用いられる物理チャネルである。ＰＨＩＣＨは、基地局装置３が受信した上りリンクデータの復号の成否を示すＨＡＲＱインディケータ（応答情報）を送信するために用いられる物理チャネルである。
【００３８】
基地局装置３がＰＵＳＣＨに含まれる上りリンクデータの復号に成功した場合は、該上りリンクデータに対するＨＡＲＱインディケータはＡＣＫ（ACKnowledgement）を示し、基地局装置３がＰＵＳＣＨに含まれる上りリンクデータの復号に失敗した場合は、該上りリンクデータに対するＨＡＲＱインディケータはＮＡＣＫ（Negative ACKnowledgement）を示す。単一のＰＨＩＣＨは、単一の上りリンクデータに対するＨＡＲＱインディケータを送信する。同一のＰＵＳＣＨに含まれる複数の上りリンクデータに対するＨＡＲＱインディケータは、複数のＰＨＩＣＨを用いて送信される。
【００３９】
上りリンク参照信号は、基地局装置３が上りリンクの時間領域の同期をとるために用いられたり、基地局装置３が上りリンクの受信品質を測定するために用いられたり、基地局装置３がＰＵＳＣＨやＰＵＣＣＨの伝搬路補正を行なうために用いられる信号である。上りリンク参照信号には、ＰＵＳＣＨまたはＰＵＣＣＨと時間多重されて送信されるＤＭＲＳ（Demodulation Reference Signal）と、ＰＵＳＣＨおよびＰＵＣＣＨとは関係なく送信されるＳＲＳ（Sounding Reference Signal）がある。
【００４０】
ＰＵＣＣＨは、下りリンクのチャネル品質を示すチャネル状態情報（Channel State Information: CSI）、ＰＵＳＣＨの無線リソースの要求を示すスケジューリング要求（Scheduling Request: SR）、移動局装置１が受信した下りリンクデータの復号の成否を示すＡＣＫ／ＮＡＣＫなど、通信の制御に用いられる情報である上りリンク制御情報（Uplink Control Information: UCI）を送信するために用いられる物理チャネルである。
【００４１】
ＰＵＳＣＨは、上りリンクデータ（Uplink Shared Channel: UL-SCH）や上りリンク制御情報を送信するために用いられる物理チャネルである。ＰＲＡＣＨは、ランダムアクセスプリアンブルを送信するために用いられる物理チャネルである。ＰＲＡＣＨは、移動局装置１が基地局装置３と時間領域の同期をとることを主な目的とし、その他に、初期コネクション確立（initial connection establishment）プロシージャ、ハンドオーバプロシージャ、コネクション再確立（connection re-establishment）プロシージャ、上りリンク送信に対する同期（タイミング調整）、および上りリンク無線リソースの割り当ての要求に用いられる。
【００４２】
上りリンクデータ（ＵＬ−ＳＣＨ）および下りリンクデータ（ＤＬ−ＳＣＨ）などは、トランスポートチャネルである。上りリンクデータをＰＵＳＣＨで送信する単位および下りリンクデータをＰＤＳＣＨで送信する単位は、トランスポートブロック（transport block: TB）と呼ばれる。トランスポートブロックは、ＭＡＣ（Media Access Control）層が物理層に渡す（deliver）データの単位であり、ＭＡＣ層においてトランスポートブロック毎にＨＡＲＱ（再送信）の制御が行なわれる。また、上りリンクデータ（ＵＬ−ＳＣＨ）および下りリンクデータ（ＤＬ−ＳＣＨ）などのＭＡＣ層で取り扱われるデータの単位のことをＭＡＣ  ＰＤＵ（Protocol Data Unit）とも称する。物理層において、トランスポートブロックはコードワードにマップされ、コードワード毎に符号化処理が行なわれる。
【００４３】
以下、本発明のセル集約（キャリア集約）について説明する。
【００４４】
セル集約では、複数のサービングセル（serving cell）が集約される。図２は、本発明のセル集約の一例を示す図である。図２で示されるセル集約処理では、３つのサービングセル（serving cell）（サービングセル１、サービングセル２、サービングセル３）が集約される。集約される複数のサービングセルのうち１つのサービングセルはプライマリーセル（Primary cell: Pcell）である。
【００４５】
プライマリーセルは、LTE Release-8/9のセルと同等の機能を持つサービングセルである。プライマリーセルは、移動局装置１が初期コネクション確立（initial connection establishment）プロシージャを行なったセル、または移動局装置１がコネクション再確立（connection re-establishment）プロシージャを開始したセル、またはハンドオーバプロシージャ中にプライマリーセルとして指示されたセルである。
【００４６】
プライマリーセルを除いたサービングセルはセカンダリーセル（Secondary cell: Scell）である。セカンダリーセルは追加の無線リソースを提供するために使われる。セカンダリーセルは、主にＰＤＳＣＨ、ＰＵＳＣＨ、ＰＲＡＣＨの送受信のために使用される。セカンダリーセルは、プライマリーセルとは異なる周波数上で動作し、移動局装置１と基地局装置３のコネクションが確立した後に、基地局装置３によって設定される。また、セカンダリーセルは、ハンドオーバプロシージャ中に基地局装置３から移動局装置１へ通知される。移動局装置１はプライマリーセルのみでＰＵＣＣＨの送信を行ない、セカンダリーセルでＰＵＣＣＨの送信を行なわない。移動局装置１はセカンダリーセルのＰＢＣＨおよびＰＤＳＣＨで送信されるページングおよびシステム情報を受信しなくてよい。
【００４７】
下りリンクにおいてサービングセルに対応するキャリアは下りリンクコンポーネントキャリア（Downlink Component Carrier: DL CC）であり、上りリンクにおいてサービングセルに対応するキャリアは上りリンクコンポーネントキャリア（Uplink Component Carrier: UL CC）である。下りリンクにおいてプライマリーセルに対応するキャリアは下りリンクプライマリーコンポーネントキャリア（Downlink Primary Component Carrier: DL PCC）であり、上りリンクにおいてプライマリーセルに対応するキャリアは上りリンクプライマリーコンポーネントキャリア（Uplink Primary Component Carrier: UL PCC）である。下りリンクにおいてセカンダリーセルに対応するキャリアは下りリンクセカンダリーコンポーネントキャリア（Downlink Secondary Component Carrier: DL SCC）であり、上りリンクにおいてセカンダリーセルに対応するキャリアは上りリンクセカンダリーコンポーネントキャリア（Uplink Secondary Component Carrier: UL SCC）である。
【００４８】
物理チャネルのそれぞれは、いずれか１つのサービングセルで送信される。つまり、単一の物理チャネルが複数のサービングセルで送信されない。１つのサービングセル（ＤＬ  ＣＣ）で１つのＰＤＳＣＨが送信されることができ、１つのサービングセル（ＵＬ  ＣＣ）で１つのＰＵＳＣＨが送信されることができる。サービングセルそれぞれにおいて、ＰＤＣＣＨとＰＨＩＣＨとＰＣＦＩＣＨとは周波数および時間多重される。サービングセルそれぞれにおいて、ＰＤＣＣＨとＰＨＩＣＨとＰＣＦＩＣＨが配置される領域とＰＤＳＣＨが配置される領域は時間多重される。Ｅ−ＰＤＣＣＨはＰＤＳＣＨ領域に配置される。つまり、Ｅ−ＰＤＣＣＨ領域とＰＤＣＣＨ／ＰＨＩＣＨ／ＰＣＦＩＣＨ領域は時間多重され、Ｅ−ＰＤＣＣＨ領域とＰＤＳＣＨ領域は周波数多重される。基地局装置３は、Ｅ−ＰＤＣＣＨの送信用いられないＥ−ＰＤＣＣＨ領域をＰＤＳＣＨ送信のために再利用することができる。サービングセルそれぞれにおいて、ＰＵＣＣＨが配置される領域とＰＵＳＣＨが配置される領域は周波数多重される。
【００４９】
プライマリーセルのＰＤＳＣＨまたはＰＵＳＣＨのスケジューリングに用いられる下りリンク制御情報はプライマリーセルのＰＤＣＣＨまたはＥ−ＰＤＣＣＨで送信される。セカンダリーセル毎に、該セカンダリーセルのスケジューリングに用いられる下りリンク制御情報がＰＤＣＣＨまたはＥ−ＰＤＣＣＨで送信されるサービングセルが基地局装置３によって設定される。
【００５０】
基地局装置３は、サービングセル毎に、該サービングセルで送信される下りリンクアサインメントおよび上りリンクグラントに、該下りリンクアサインメントおよび該上りリンクグラントが対応するサービングセルを示す情報（キャリアインディケータ: Carrier Indicator）を含むか否かを移動局装置に通知する。ＰＨＩＣＨは、ＰＨＩＣＨが対応するＰＵＳＣＨのスケジューリングに用いられる上りリンクグラントが送信されたサービングセルで送信される。
【００５１】
以下、本発明のサーチスペース（search space）について説明する。
【００５２】
移動局装置１は、ＰＤＣＣＨ候補（candidates）のセットをモニタする。ＰＤＣＣＨ候補は、基地局装置３によってＰＤＣＣＨまたはＥ−ＰＤＣＣＨが配置および送信される可能性のある候補である。  モニタとは、モニタされる全てのＤＣＩフォーマットに応じてＰＤＣＣＨ候補のセット内のＰＤＣＣＨおよびＥ−ＰＤＣＣＨのそれぞれの復号を移動局装置１が試みるということを意味する。サーチスペースはＰＤＣＣＨ候補のセットによって定義される。
【００５３】
共通サーチスペースは、複数の移動局装置１に対する下りリンク制御情報および特定の移動局装置１に対する下りリンク制御情報の送信に用いられるサーチスペースである。固有サーチスペース（user equipment specific search space）は、特定の移動局装置１に対する下りリンク制御情報の送信に用いられる固有サーチスペース（user equipment specific search space）である。共通サーチスペースは、プライマリーセルのＰＤＣＣＨ領域内に構成され、セカンダリーセルには構成されない。固有サーチスペースは、ＰＤＣＣＨ領域内またはＥ−ＰＤＣＣＨ領域内に構成される。
【００５４】
セル集約が設定されている場合には、サービングセルのそれぞれに対応する固有サーチスペースが構成される。プライマリーセルに対応する固有サーチスペースはプライマリーセルに構成される。セカンダリーセルに対応する固有サーチスペースはいずれか１つのサービングセルに構成される。基地局装置３は、セカンダリーセルに対応する固有サーチスペースがいずれのサービングセルに構成されるかを設定することができる。
【００５５】
特定の移動局装置１に対する下りリンク制御情報の送信には、基地局装置３が移動局装置１に割り当てたＣ−ＲＮＴＩ（Cell-Radio Network Temporary Identifier）が用いられる。具体的には、下りリンク制御情報に基づいて生成されたＣＲＣパリティビットが下りリンク制御情報に付加され、付加の後に、ＣＲＣパリティビットはＣ−ＲＮＴＩでスクランブルされる。ＣＲＣパリティビットとＣ−ＲＮＴＩは１６ビットである。基地局装置３は、ＣＲＣパリティビットが付加された下りリンク制御情報を符号化し、下りリンク制御情報の送信に用いる制御チャネル要素の数および変調方式に応じて符号化ビットのビット数を調整する。
【００５６】
１つの制御チャネル要素は３６の変調シンボルを送信するために使用される。下りリンク制御情報（ＰＤＣＣＨ）にＱＰＳＫ（Quadrature Phase Shift Keying）変調方式が適用される場合には、基地局装置３は１つの制御チャネル要素を使用して７２ビットの下りリンク制御情報を移動局装置１に送信することができる。
【００５７】
移動局装置１は、ＰＤＣＣＨ領域内の固有サーチスペースまたはＥ−ＰＤＣＣＨ領域内のサーチスペースのどちらをモニタするかを、基地局装置３から受信した無線リソース制御信号に従ってサービングセル毎に設定する。移動局装置１が単一のサービングセルにおいてＰＤＣＣＨ領域内の固有サーチスペースをモニタするモードをＰＤＣＣＨ受信モード１と称する。移動局装置１が単一のサービングセルにおいてＥ−ＰＤＣＣＨ領域内の固有サーチスペースをモニタするモードをＰＤＣＣＨ受信モード１と称する。基地局装置３は、無線リソース制御信号を用いて移動局装置１に対してＰＤＣＣＨ受信モード１またはＰＤＣＣＨ受信モード２を設定する。移動局装置１は、基地局装置３から受信した無線リソース制御信号に従って、ＰＤＣＣＨ受信モード１またはＰＤＣＣＨ受信モード２を設定する。
【００５８】
図３は、本発明のＰＤＣＣＨ受信モードとＤＣＩフォーマットとサーチペースの関係を示す図である。図３では、説明の簡略化のため、特定の移動局装置１に対する下りリンク制御情報（ＤＣＩフォーマット）のみを示す。移動局装置１は、図３のＰＤＣＣＨ受信モードとＤＣＩフォーマットとサーチスペースの組み合わせに従って、ＰＤＣＣＨのデコードをする。例えば、ＰＤＣＣＨ受信モード１の移動局装置１は、基地局装置３によってＤＣＩフォーマット０がＰＤＣＣＨで送信されたと仮定して、共通サーチスペースとＰＤＣＣＨ領域の固有サーチスペースでＰＤＣＣＨの復号を試みる。
【００５９】
移動局装置１は、同じＲＮＴＩ（Radio Network Temporary Identifier）によってＣＲＣパリティビットがスクランブルされ、同じサーチスペースにマップされ、同じサービングセルをスケジューリングするためのＤＣＩフォーマット０とＤＣＩフォーマット１Ａのビット数が異なる場合には、ビット数の小さいＤＣＩフォーマットのペイロードサイズがビット数の多いＤＣＩフォーマットのペイロードサイズと同じになるまで０の値を持つビットを加える。この処理により、同じＲＮＴＩによってＣＲＣパリティビットがスクランブルされ、同じサーチスペースにマップされ、同じサービングセルをスケジューリングするためのＤＣＩフォーマット０のペイロードサイズとＤＣＩフォーマット１Ａのペイロードサイズは同じになるため、移動局装置１によるＤＣＩフォーマット０とＤＣＩフォーマット１の復号処理を簡略化することができる。
【００６０】
尚、Ｅ−ＰＤＣＣＨ領域の固有サーチスペースの第１スロットに対応するＤＣＩフォーマット１ＡとＥ−ＰＤＣＣＨ領域の固有サーチスペースの第２スロットに対応するＤＣＩフォーマット０とに上記処理を行わなくてもよい。つまり、ＰＤＣＣＨ受信モード２において、共通サーチスペースに対応するＤＣＩフォーマット０のペイロードサイズとＤＣＩフォーマット１Ａのペイロードサイズは同じであるが、Ｅ−ＰＤＣＣＨ領域の固有サーチスペースの第１スロットに対応するＤＣＩフォーマット１ＡのペイロードサイズとＥ−ＰＤＣＣＨ領域の固有サーチスペースの第２スロットに対応するＤＣＩフォーマット０のペイロードサイズは同じでなくてもよい。
【００６１】
図４は、本発明のＰＤＣＣＨ候補の構成を示す図である。ＰＤＣＣＨ領域内のサーチスペースに対応するＰＤＣＣＨ候補は、１つまたは連続する制御チャネル要素（Control Channel Element: CCE）から構成される。ｎ個の連続した制御チャネル要素から構成されるＰＤＣＣＨ候補は、制御チャネル要素の番号（指標）をｎで割った余りが０となる番号（指標）を持つ制御チャネル要素上でのみスタートする。Ｅ−ＰＤＣＣＨ領域内のサーチスペースに対応するＰＤＣＣＨ候補は、１つまたは連続する仮想リソースブロック（Virtual Resource Block: VRB）から構成される。ｎ個の連続した仮想リソースブロックから構成されるＰＤＣＣＨ候補は、仮想リソースブロックの番号（指標）をｎで割った余りが０となる番号（指標）を持つ仮想リソースブロック上でのみスタートする。
【００６２】
ＰＤＣＣＨ候補を構成する制御チャネル要素の数または仮想リソースブロックの数をアグリゲーションレベル（aggregation level）と称する。ＰＤＣＣＨ候補のアグリゲーションレベルは１、２、４、または８である。ＰＤＣＣＨ候補のアグリゲーションレベル毎にサーチスペースが構成される。共通サーチスペースに対応するＰＤＣＣＨ候補のアグリゲーションレベルは４と８である。固有サーチスペースに対応するＰＤＣＣＨ候補のアグリゲーションレベルは１と２と４と８である。
【００６３】
例えば、図４において、アグリゲーションレベル８のＰＤＣＣＨ候補は、０から７の制御チャネル要素または仮想リソースブロックと、８から１５の制御チャネル要素または仮想リソースブロックとから構成される。図４において、アグリゲーションレベル４のＰＤＣＣＨ候補は、０から３の制御チャネル要素または仮想リソースブロックと、４から７の制御チャネル要素または仮想リソースブロックと、８から１１の制御チャネル要素または仮想リソースブロックと、１２から１５の制御チャネル要素または仮想リソースブロックとから構成される。
【００６４】
アグリゲーションレベル１のサーチスペースは、６つのＰＤＣＣＨ候補によって定義される。アグリゲーションレベル２のサーチスペースは、６つのＰＤＣＣＨ候補によって定義される。アグリゲーションレベル４のサーチスペースは、２つのＰＤＣＣＨ候補によって定義される。アグリゲーションレベル８のＰＤＣＣＨ候補は２つのＰＤＣＣＨ候補によって定義される。
【００６５】
図５は、本発明のＰＤＣＣＨ領域内のサーチスペースを示す図である。横軸は制御チャネル要素を識別するための番号（指標）である。図４において太線で囲まれている単位はＰＤＣＣＨ候補であり、図４において斜線でハッチングされたＰＤＣＣＨ候補は固有サーチスペースに対応するＰＤＣＣＨ候補である。図４において灰色でハッチングされたＰＤＣＣＨ候補は共通サーチスペースに対応するＰＤＣＣＨ候補である。
【００６６】
共通サーチスペースは、予め定められた制御チャネル要素から構成される。アグリゲーションレベル４の共通サーチスペースとアグリゲーションレベル８の共通サーチスペースは、番号が０の制御チャネル要素からスタートする。ＰＤＣＣＨ領域に対応する固有サーチスペースを構成する制御チャネル要素の最初の番号は、Ｃ−ＲＮＴＩとサブフレームのＰＤＣＣＨ領域内の制御チャネル要素の総計の数と無線フレーム内のスロット番号とアグリゲーションレベルから決定される。ＰＤＣＣＨ領域内において、同一の移動局装置１に対する異なるアグリゲーションレベルのサーチスペースの一部または全てが重複してもよい。また、ＰＤＣＣＨ領域内において、同一の移動局装置１に対する共通サーチスペースと固有サーチスペースとは一部または全てが重複してもよい。
【００６７】
図６は、本発明のＰＤＣＣＨのマッピング方法を示す図である。図６において、番号６００は下りリンク制御情報の送信に用いられる１つの制御チャネル要素を示す。番号６０１は下りリンク制御情報の変調シンボルの送信に用いられない制御チャネル要素を示す。番号６０２と番号６０３とは下りリンク制御情報の送信に用いられる２つの制御チャネル要素を示す。番号６０４はあるコンポーネントキャリアの無線フレーム内のサブフレームにおけるＰＤＣＣＨ／ＰＨＩＣＨ／ＰＣＦＩＣＨ領域を示す。番号６０５と番号６０６とはあるコンポーネントキャリアの無線フレーム内のサブフレームにおけるＰＤＳＣＨ領域を示す。番号６０７はあるコンポーネントキャリアの無線フレーム内のサブフレームにおけるＥ−ＰＤＣＣＨ領域を示す。
【００６８】
１つの制御チャネル要素は３６の変調シンボルを送信するために使用される。１つの制御チャネル要素は、９つのｍｉｎｉ−ＣＣＥから構成される。１つのｍｉｎｉ−ＣＣＥは４つの変調シンボルから構成される。１つのｍｉｎｉ−ＣＣＥは１つのリソースエレメントグループにマップされる。１つのリソースエレメントグループは４つのリソースエレメントから構成される。つまり、１つの変調シンボルが１つのリソースエレメントにマップされる。
【００６９】
基地局装置３は、番号６００から番号６０３の制御チャネル要素をｍｉｎｉ−ＣＣＥ単位でインタリーブする。基地局装置３は、インタリーブされたｍｉｎｉ−ＣＣＥをｍｉｎｉ−ＣＣＥ単位でサイクリックシフトする。基地局装置３は、サイクリックシフトされたｍｉｎｉ−ＣＣＥをＰＤＣＣＨ／ＰＨＩＣＨ／ＰＣＦＩＣＨ領域６０４のリソースエレメントグループにマップする。基地局装置３は、ＰＨＩＣＨおよびＰＣＦＩＣＨがマップされるリソースエレメントグループ以外のリソースエレメントグループにＰＤＣＣＨのｍｉｎｉ−ＣＣＥをマップする。
【００７０】
図７は、本発明のＥ−ＰＤＣＣＨのマッピング方法を示す図である。図７において、番号７００は下りリンク制御情報（下りリンクアサインメント）の送信に用いられる第１スロットの２つの仮想リソースブロックを示す。番号７０１は下りリンク制御情報（下りリンクアサインメント）の変調シンボルの送信に用いられない第１スロットの仮想リソースブロックである。番号７０２は下りリンク制御情報（下りリンクアサインメント）の送信に用いられる第１スロットの４つの仮想リソースブロックを示す。番号７０３は下りリンク制御情報（上りリンクグラント）の送信に用いられる第２スロットの８つの仮想リソースブロックを示す。
【００７１】
番号７０４と番号７０５とは、Ｅ−ＰＤＣＣＨの送信のために基地局装置３によって設定された仮想リソースブロックを示す。番号７０６は第１スロットの仮想リソースブロックを示す。番号７０７は第２スロットの仮想リソースブロックを示す。番号７１０は第１スロットの物理リソースブロックを示す。番号７１１は第２スロットの物理リソースブロックを示す。番号７１２はあるコンポーネントキャリアの無線フレーム内のサブフレームにおけるＰＤＣＣＨ／ＰＨＩＣＨ／ＰＣＦＩＣＨ領域を示す。番号７１３と番号７１５と番号７１７とはあるコンポーネントキャリアの無線フレーム内のサブフレームにおけるＰＤＳＣＨ領域を示す。番号７１４と７１６はあるコンポーネントキャリアの無線フレーム内のサブフレームにおけるＥ−ＰＤＣＣＨ領域を示す。番号７１６はコンポーネントキャリアの帯域幅を示す。
【００７２】
基地局装置３は、Ｅ−ＰＤＣＣＨの送信に用いることができる仮想リソースブロックを設定し、設定された仮想リソースブロック（７０４と７０５）を移動局装置１に通知する。設定された仮想リソースブロックは０から連続して番号がつけられる。設定された仮想リソースブロックの番号０は、仮想リソースブロックの番号が最も小さい設定された仮想リソースブロックに対応する。図７において、設定された仮想リソースブロック（７０４と７０５）は、仮想リソースブロックの番号が５、６、７、８、１８、１９、２０、２１である８つの仮想リソースブロックである。
【００７３】
Ｅ−ＰＤＣＣＨ領域において、アグリゲーションレベルのそれぞれに対応する固有サーチスペースを構成する最初の仮想リソースブロックは、設定された仮想リソースブロックの番号が０である仮想リソースブロックである。つまり、アグリゲーションレベルのそれぞれに対する固有サーチスペースは、設定された仮想リソースブロックの番号が０である仮想リソースブロックからスタートする。
【００７４】
基地局装置３は、下りリンク制御情報（下りリンクアサインメント）（７００と７０２）を第１スロットの設定された仮想リソースブロックにマップし、下りリンク制御情報（上りリンクグラント）（７０３）を第２スロットの設定された仮想リソースブロックにマップする。
【００７５】
基地局装置３は、仮想リソースブロックを仮想リソースブロックの番号と同じ番号の物理リソースブロックにマップする。尚、仮想リソースブロックの番号が同じ第１スロットの仮想リソースブロックと第２スロットの仮想リソースブロックとを異なる物理リソースブロックの番号の物理リソースブロックにマップしてもよい。
【００７６】
以下、本発明の装置構成について説明する。
【００７７】
図８は、本発明の基地局装置３の構成を示す概略ブロック図である。図示するように、基地局装置３は、上位層処理部３０１、制御部３０３、受信部３０５、送信部３０７、および、送受信アンテナ３０９、を含んで構成される。上位層処理部３０１は、無線リソース制御部３０１１、スケジューリング部３０１３とランダムアクセス制御部３０１５とを含んで構成される。受信部３０５は、復号化部３０５１、復調部３０５３、多重分離部３０５５、無線受信部３０５７とチャネル測定部３０５９とを含んで構成される。送信部３０７は、符号化部３０７１、変調部３０７３、多重部３０７５、無線送信部３０７７と下りリンク参照信号生成部３０７９とを含んで構成される。
【００７８】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。上位層処理部３０１は、受信部３０５、および送信部３０７の制御を行なうために制御情報を生成し、制御部３０３に出力する。
【００７９】
上位層処理部３０１が備える無線リソース制御部３０１１は、下りリンクのＰＤＳＣＨに配置される下りリンクデータ（トランスポートブロック）、ＲＲＣシグナル、ＭＡＣ  ＣＥ（Control Element）を生成し、又は上位ノードから取得し、送信部３０７に出力する。また、無線リソース制御部３０１１は、移動局装置１各々の各種設定情報の管理をする。例えば、無線リソース制御部３０１１は、ＰＤＣＣＨ受信モードの管理や移動局装置１に設定したサービングセルの管理などを行なう。
【００８０】
上位層処理部３０１が備えるスケジューリング部３０１３は、ＰＤＳＣＨおよびＰＵＳＣＨのスケジューリングを行ない、スケジューリング結果を制御情報生成部３０１５に通知する。
【００８１】
上位層処理部３０１が備えるランダムアクセス制御部３０１５は、ランダムアクセスの制御を行なう。例えば、ランダムアクセス制御部３０１５は、受信したランダムアクセスプリアンブルに対するＴＡコマンドやＴｅｍｐｏｒａｒｙ  Ｃ−ＲＮＴＩを含むランダムアクセスレスポンスを生成する。本発明のランダムアクセスプロシージャの詳細は後述する。
【００８２】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【００８３】
受信部３０５は、制御部３０３から入力された制御信号に従って、送受信アンテナ３０９を介して移動局装置１から受信したＰＵＣＣＨ、ＰＵＳＣＨ、ＰＲＡＣＨ、および上りリンク参照信号を分離、復調、復号し、復号した情報を上位層処理部３０１に出力する。受信部３０５は、受信した上りリンクの信号から上りリンクのチャネルの状態を測定し、測定した結果を上位層処理部３０１に出力する。
【００８４】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＰＤＳＣＨ、および下りリンク参照信号を多重して、送受信アンテナ３０９を介して移動局装置１に信号を送信する。
【００８５】
図９は、本発明の移動局装置１の構成を示す概略ブロック図である。図示するように、移動局装置１は、上位層処理部１０１、制御部１０３、受信部１０５、送信部１０７および、送受信アンテナ１０９を含んで構成される。上位層処理部１０１は、無線リソース制御部１０１１、スケジューリング部１０１３とランダムアクセス制御部１０１５とを含んで構成される。受信部１０５は、復号化部１０５１、復調部１０５３、多重分離部１０５５、無線受信部１０５７とチャネル測定部１０５９とを含んで構成される。送信部１０７は、符号化部１０７１、変調部１０７３、多重部１０７５、無線送信部１０７７と上りリンク参照信号生成部１０７９とを含んで構成される。
【００８６】
上位層処理部１０１は、ユーザの操作等により生成された上りリンクデータを、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１は受信部１０５、および送信部１０７の制御を行なうために制御情報を生成し、制御部１０３に出力する。
【００８７】
上位層処理部１０１が備える無線リソース制御部１０１１は、自装置の各種設定情報の管理を行なう。例えば、無線リソース制御部１０１１は、ＰＤＣＣＨ受信モードの管理やサービングセルの管理を行なう。無線リソース制御部１０１１は、上りリンクの各チャネルに配置される情報を生成し、送信部１０７に出力する。
【００８８】
上位層処理部１０１が備えるスケジューリング部１０１３は、受信部１０５から入力された下りリンクアサインメントに従ってＰＤＳＣＨを受信するよう、制御部１０３を介して、受信部１０５を制御する。スケジューリング部１０１３は、受信部１０５から入力された上りリンクグラントまたはランダムアクセスレスポンスグラントに従ってＰＵＳＣＨを送信するよう、制御部１０３を介して、送信部１０７を制御する。
【００８９】
上位層処理部１０１が備えるランダムアクセス制御部１０１５は、ランダムアクセスの制御を行なう。例えば、ランダムアクセス制御部１０１５は、基地局装置３から受信したランダムアクセスプロシージャの開始を指示する情報に従って、ランダムアクセスプロシージャを開始する。本発明のランダムアクセスプロシージャの詳細は後述する。
【００９０】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【００９１】
受信部１０５は、制御部１０３から入力された制御信号に従って、送受信アンテナ１０９を介して基地局装置３から受信したＰＨＩＣＨ、ＰＤＣＣＨ、ＰＤＳＣＨ、および下りリンク参照信号を、分離、復調、復号し、復号した情報を上位層処理部１０１に出力する。受信部１０５は、受信した下りリンクの信号から上りリンクのチャネルの状態を測定し、測定した結果を上位層処理部１０１に出力する。
【００９２】
送信部１０７は、制御部１０３から入力された制御信号に従って、上りリンク参照信号を生成し、上位層処理部１０１から入力された上りリンクデータ（トランスポートブロック）を符号化および変調し、ＰＲＡＣＨ、ＰＵＣＣＨ、ＰＵＳＣＨ、および生成した上りリンク参照信号を多重し、送受信アンテナ１０９を介して基地局装置３に送信する。
【００９３】
以下、本発明のランダムアクセスプロシージャを説明する。
【００９４】
図１０は、本発明のランダムアクセスプロシージャを示す図である。移動局装置１は、プライマリーセルの物理ランダムアクセスチャネル（Physical Random Access Channel: PRACH）リソースのセットを示す設定情報とセカンダリーセルのＰＲＡＣＨリソースのセットを示す設定情報とを基地局装置３から受信し、ＰＲＡＣＨリソースのセットを設定する（８００）。ＰＲＡＣＨリソースは、無線フレームの番号と無線フレーム内のサブフレームの番号と物理リソースブロックの番号によって表現される。
【００９５】
基地局装置３は、ＰＲＡＣＨの送信を指示する下りリンク制御情報（ランダムアクセスプロシージャの開始を指示する情報）をＰＤＣＣＨまたはＥ−ＰＤＣＣＨで送信することができる（８０１）。以下、ＰＲＡＣＨの送信を指示する下りリンク制御情報の送信に用いられるＰＤＣＣＨをＰＤＣＣＨ  ｏｒｄｅｒ（ランダムアクセスメッセージ０）と称する。ここで、該下りリンク制御情報の送信には、ＤＣＩフォーマット１ＡとＣ−ＲＮＴＩ（Cell-Radio Network Temporary Identifier）の組み合わせが用いられる。プライマリーセルに対するＰＤＣＣＨ  ｏｒｄｅｒは、プライマリーセルでのみ送信される。セカンダリーセルに対するＰＤＣＣＨ  ｏｒｄｅｒは、セカンダリーセルのスケジューリングに用いられるよう基地局装置３によって設定されたサービングセルでのみ送信される。移動局装置１自身が、ランダムアクセスプロシージャを開始（initiate）することもできる。
【００９６】
移動局装置１は、設定されたＰＲＡＣＨリソースのセットの中から１つのＰＲＡＣＨリソースを選択し、選択したＰＲＡＣＨリソースでランダムアクセスプリアンブル（ランダムアクセスメッセージ１）を基地局装置に送信する（８０２）。ここで、移動局装置１は、サービングセルそれぞれの１つのＰＲＡＣＨリソースを用いて同時に（同一サブフレームで）複数のランダムアクセスプリアンブルを送信しても良い。例えば、移動局装置１は、プライマリーセルのＰＲＡＣＨリソースとセカンダリーセルのＰＲＡＣＨリソースを用いて同時に、複数のランダムアクセスプリアンブルを送信しても良い。
【００９７】
セカンダリーセルのＰＲＡＣＨは、セカンダリーセルの物理上りリンクチャネルに対するタイミング調整の量を制御するために用いられる。また、移動局装置１は、基地局装置３からセカンダリーセルに対するＰＤＣＣＨ  ｏｒｄｅｒを受信した場合のみセカンダリーセルのＰＲＡＣＨを送信する。移動局装置１は、上りリンク無線リソースの割り当ての要求のためにプライマリーセルのＰＲＡＣＨを送信するが、上りリンク無線リソースの割り当ての要求のためにセカンダリーセルのＰＲＡＣＨを送信することはない。
【００９８】
基地局装置３は、移動局装置１からランダムアクセスプリアンブルを受信し、受信したランダムアクセスプリアンブルからサービングセルの物理上りリンクチャネルに対するタイミング調整の量（the amount of timing adjustment）を算出する。基地局装置３は、受信したランダムアクセスプリアンブルに対応して、受信したランダムアクセスプリアンブルに対応するランダムアクセスプリアンブル識別子（Random Access Preamble identifier）と物理上りリンクチャネルに対するタイミング調整の量を示す情報（ＴＡコマンド: Timing Advance command）とを含むランダムアクセスレスポンス（ランダムアクセスメッセージ２）を移動局装置１に送信する（８０３）。ランダムアクセスレスポンスに移動局装置１が送信したランダムアクセスプリアンブルに対応するランダムアクセスプリアンブル識別子が含まれていた場合には、移動局装置１はランダムアクセスレスポンスの受信に成功したとみなし、受信したＴＡコマンドを処理する。
【００９９】
ランダムアクセスレスポンスの送信にはＰＤＳＣＨが用いられる。該ＰＤＳＣＨのスケジューリングに用いられる下りリンク制御情報の送信にはＥ−ＰＤＣＣＨまたはＰＤＣＣＨが用いられる。基地局装置３は、プライマリーセルで受信したランダムアクセスプリアンブルに対応して、ランダムアクセスレスポンスをプライマリーセルのＰＤＳＣＨで送信する。また、基地局装置３は、プライマリーセルのランダムアクセスレスポンスのスケジューリングに用いられる下りリンク制御情報（ＤＣＩフォーマット）を、プライマリーセルのＥ−ＰＤＣＣＨまたはＰＤＣＣＨで送信する。ここで、該下りリンク制御情報の送信には、ＲＡ−ＲＮＴＩ（Random Access-Radio Network Temporary Identifier）が用いられる。
【０１００】
さらに、基地局装置３は、セカンダリーセルで受信したランダムアクセスプリアンブルに対応して、ランダムアクセスレスポンスを、プライマリーセルのＰＤＳＣＨまたはセカンダリーセルのＰＤＳＣＨで送信する。また、基地局装置３は、ランダムアクセスレスポンスが送信されるプライマリーセルのＰＤＳＣＨのスケジューリングに用いられる下りリンク制御情報（ＤＣＩフォーマット）を、プライマリーセルのＥ−ＰＤＣＣＨまたはＰＤＣＣＨで送信する。また、基地局装置３は、ランダムアクセスレスポンスが送信されるセカンダリーセルのＰＤＳＣＨのスケジューリングに用いられる下りリンク制御情報を、ランダムアクセスレスポンスが送信されるセカンダリーセルのスケジューリングに用いられるよう基地局装置３に設定されたサービングセルのＥ−ＰＤＣＣＨまたはＰＤＣＣＨ、またはランダムアクセスレスポンスが送信されるセカンダリーセルのＥ−ＰＤＣＣＨまたはＰＤＣＣＨで送信する。ここで、該下りリンク制御情報の送信には、ＲＡ−ＲＮＴＩ（Random Access-Radio Network Temporary Identifier）またはＣ−ＲＮＴＩ（Cell-Radio Network Temporary Identifier）が用いられる。
【０１０１】
基地局装置３は、セカンダリーセルで受信したランダムアクセスプリアンブルに対応するランダムアクセスプリアンブル識別子とＴＡコマンドを含むランダムアクセスレスポンスを、移動局装置１へ送信する。ここで、基地局装置３は、セカンダリーセルで受信したランダムアクセスプリアンブルに対応するランダムアクセスプリアンブル識別子を含めずに、ランダムアクセスレスポンスを移動局装置１へ送信しても良い。
【０１０２】
以下、本実施形態において、プライマリーセルで受信したランダムアクセスプリアンブルに対応するランダムアクセスレスポンスを、プライマリーセルに対するランダムアクセスレスポンスと称し、セカンダリーセルで受信したランダムアクセスプリアンブルに対応するランダムアクセスレスポンスを、セカンダリーセルに対するランダムアクセスレスポンスとも称する。
【０１０３】
また、移動局装置１は、ランダムアクセスプリアンブルを送信してから一定の期間（ランダムアクセスレスポンスウィンドウ中）に該ランダムアクセスプリアンブルに対するランダムアクセスレスポンスを受信しなかった場合には、ランダムアクセスプリアンブルを再送信する。ランダムアクセスプリアンブルの再送信は、該ランダムアクセスプリアンブルの送信が行なわれたサービングセルと同じサービングセルで行なわれる。
【０１０４】
ここで、プライマリーセルに対するランダムアクセスレスポンスには、ランダムアクセスレスポンスグラント（random access response grant）が含まれる。ランダムアクセスレスポンスグラントは、ＰＵＳＣＨのスケジューリングに用いられ、ＴＰＣコマンドが含まれる。つまり、プライマリーセルに対するランダムアクセスレスポンスにはＴＰＣコマンドが含まれる。ここで、ランダムアクセスレスポンスグラントは、セカンダリーセルに対するランダムアクセスレスポンスに含まれても良いし、セカンダリーセルに対するランダムアクセスレスポンスに含まれなくてもよい。
【０１０５】
基地局装置３は、ランダムアクセスプロシージャの開始を指示する情報をＰＤＣＣＨまたはＥ−ＰＤＣＣＨで移動局装置１に送信し、移動局装置１が当該情報に従って物理ランダムアクセスチャネルで送信したランダムアクセスプリアンブルを受信し、受信したランダムアクセスプリアンブルに対するランダムアクセスレスポンスのスケジューリングに用いられる情報をＰＤＣＣＨで移動局装置１に送信し、ランダムアクセスレスポンスをＰＤＳＣＨで移動局装置１に送信する。
【０１０６】
基地局装置３は、ランダムアクセスプロシージャの開始を指示する情報をＰＤＣＣＨで移動局装置１に送信した場合には、受信したランダムアクセスプリアンブルに対するランダムアクセスレスポンスのスケジューリングに用いられる情報をＰＤＣＣＨで移動局装置１に送信し、ランダムアクセスプロシージャの開始を指示する情報をＥ−ＰＤＣＣＨで移動局装置１に送信した場合には、受信したランダムアクセスプリアンブルに対するランダムアクセスレスポンスのスケジューリングに用いられる情報をＥ−ＰＤＣＣＨで移動局装置１に送信する。ただし、基地局装置３は、ランダムアクセスプロシージャの開始を指示する情報をＥ−ＰＤＣＣＨで送信した際に、移動局装置１にランダムアクセスプリアンブル識別子を通知しておらず、移動局装置１がランダムアクセスプリアンブルをランダムに選択した場合には、受信したランダムアクセスプリアンブルに対するランダムアクセスレスポンスのスケジューリングに用いられる情報をＰＤＣＣＨで移動局装置１に送信する。
【０１０７】
移動局装置１は、ランダムアクセスプロシージャの開始を指示する情報をＰＤＣＣＨで基地局装置３から受信した場合には、ランダムアクセスプリアンブルの送信に対するランダムアクセスレスポンスのスケジューリングに用いられる情報をＰＤＣＣＨで基地局装置３から受信し、ランダムアクセスプロシージャの開始を指示する情報をＥ−ＰＤＣＣＨで基地局装置３から受信した場合には、ランダムアクセスプリアンブルの送信に対するランダムアクセスレスポンスのスケジューリングに用いられる情報をＥ−ＰＤＣＣＨで基地局装置３から受信する。ただし、移動局装置１は、ランダムアクセスプロシージャの開始を指示する情報をＥ−ＰＤＣＣＨで受信した際に、基地局装置３からランダムアクセスプリアンブル識別子を通知されておらず、移動局装置１がランダムアクセスプリアンブルをランダムに選択していた場合には、受信したランダムアクセスプリアンブルに対するランダムアクセスレスポンスのスケジューリングに用いられる情報をＰＤＣＣＨで基地局装置３から受信する。
【０１０８】
尚、移動局装置１は、ランダムアクセスプロシージャの開始を指示する情報をＰＤＣＣＨまたはＥ−ＰＤＣＣＨで基地局装置３から受信し、当該情報に従ってランダムアクセスプリアンブルを物理ランダムアクセスチャネルで基地局装置３に送信し、ランダムアクセスプリアンブルの送信に対するランダムアクセスレスポンスのスケジューリングに用いられる情報をＰＤＣＣＨで基地局装置３から受信し、当該情報に従ってランダムアクセスレスポンスをＰＤＳＣＨで基地局装置３から受信してもよい。
【０１０９】
ＰＤＣＣＨ  ｏｒｄｅｒまたは無線リソース制御信号（radio resource control signal）によって移動局装置１が基地局装置３からランダムアクセスプリアンブル識別子を通知されている場合には、移動局装置１はランダムアクセスレスポンスの受信に成功した後に、ランダムアクセスプロシージャが完了したとみなす。
【０１１０】
また、基地局装置３からランダムアクセスプリアンブル識別子を通知されておらず、移動局装置１がランダムアクセスプリアンブルをランダムに選択していた場合には、移動局装置１はランダムアクセスレスポンスの受信に成功した後に、基地局装置３に物理上りリンク共用チャネル（Physical Uplink Shared Channel: PUSCH）でランダムアクセスメッセージ３を送信し（８０４）、基地局装置３からランダムアクセスメッセージ４を受信する（８０５）。ランダムアクセスメッセージ３には、移動局装置１のＣ−ＲＮＴＩを示すＭＡＣ（Medium Access Control）ＣＥ（Control Element）またはＣＣＣＨ（Common Control Channel）ＳＤＵ（Service Data Unit）が含まれる。ＣＣＣＨは論理チャネルである。上りリンクのＣＣＣＨはコネクションリクエストメッセージまたはコネクション再確立リクエストメッセージの送信に用いられる。セカンダリーセルのランダムアクセスプロシージャでは、セカンダリーセルに対するＰＤＣＣＨ  ｏｒｄｅｒにランダムアクセスプリアンブル識別子が含まれるため、ランダムアクセスメッセージ３とランダムアクセスメッセージ４の送受信は行なわれない。
【０１１１】
移動局装置１がランダムアクセスメッセージ３にＣ−ＲＮＴＩ  ＭＡＣ（Medium Access Control）ＣＥ（Control Element）を含めていた場合には、ランダムアクセスメッセージ４の送信にＥ−ＰＤＣＣＨまたはＰＤＣＣＨが用いられる。具体的には、移動局装置１によってランダムアクセスプロシージャが開始され、Ｅ−ＰＤＣＣＨまたはＰＤＣＣＨの送信にＣ−ＲＮＴＩが用いられ、ＰＵＳＣＨの初期送信のための下りリンク制御情報が該Ｅ−ＰＤＣＣＨまたは該ＰＤＣＣＨに含まれている場合、移動局装置１はランダムアクセスメッセージ４の受信に成功したとみなし、ランダムアクセスプロシージャが完了したとみなす。また、ＰＤＣＣＨ  ｏｒｄｅｒによってランダムアクセスプロシージャが開始され、Ｅ−ＰＤＣＣＨまたはＰＤＣＣＨの送信にＣ−ＲＮＴＩが用いられている場合には、移動局装置１はランダムアクセスメッセージ４の受信に成功したとみなし、ランダムアクセスプロシージャが完了したとみなす。
【０１１２】
移動局装置１がランダムアクセスメッセージ３にＣＣＣＨ  ＳＤＵを含めていた場合には、ランダムアクセスメッセージ４の送信にＰＤＣＣＨとＰＤＳＣＨが用いられる。具体的には、移動局装置１は、Ｔｅｍｐｏｒａｒｙ  Ｃ−ＲＮＴＩを用いて送信されたＰＤＣＣＨに含まれるＤＣＩフォーマット１Ａに従ってＰＤＳＣＨを受信し、該ＰＤＳＣＨで受信したＭＡＣ  ＣＥに含まれる識別子（UE contention resolution identity）とランダムアクセスメッセージ３で送信されたＣＣＣＨ  ＳＤＵがマッチした場合には、移動局装置１はランダムアクセスメッセージ４の受信に成功したとみなし、Ｔｅｍｐｏｒａｒｙ  Ｃ−ＲＮＴＩの値をＣ−ＲＮＴＩにセットし、ランダムアクセスプロシージャが完了したとみなす。Ｔｅｍｐｒａｒｙ  Ｃ−ＲＮＴＩの値は、ランダムアクセスレスポンスを用いて基地局装置３から移動局装置１に通知される。このとき、移動局装置１はＰＤＣＣＨ領域の共通サーチスペースとＴｅｍｐｏｒａｒｙ  Ｃ−ＲＮＴＩに基づいて決定されるＰＤＣＣＨ領域の固有サーチスペースとで、Ｔｅｍｐｏｒａｒｙ  Ｃ−ＲＮＴＩを用いて送信されるＤＣＩフォーマット１Ａをモニタする。
【０１１３】
つまり、ＰＤＣＣＨ受信モード２の移動局装置１は、ランダムアクセスメッセージ３にＣ−ＲＮＴＩ  ＭＡＣ  ＣＥを含めていた場合には、Ｅ−ＰＤＣＣＨまたはＰＤＣＣＨの送信にＣ−ＲＮＴＩが用いられ、かつ共通サーチスペースまたはＥ−ＰＤＣＣＨ領域の固有サーチスペースの第２スロットのＤＣＩフォーマット０またはＥ−ＰＤＣＣＨ領域の固有サーチスペースの第２スロットのＤＣＩフォーマット４がＥ−ＰＤＣＣＨまたはＰＤＣＣＨに含まれている際に、ランダムアクセスメッセージ４の受信に成功したとみなし、ランダムアクセスプロシージャが完了したとみなす。
【０１１４】
また、ＰＤＣＣＨ受信モード２の移動局装置１は、ランダムアクセスメッセージ３にＣＣＣＨ  ＳＤＵを含めていた場合には、Ｔｅｍｐｏｒａｒｙ  Ｃ−ＲＮＴＩを用いて送信されたＰＤＣＣＨに含まれるＤＣＩフォーマット０に従ってＰＤＳＣＨを受信し、該ＰＤＳＣＨで受信したＭＡＣ  ＣＥに含まれる識別子（UE contention resolution identity）とランダムアクセスメッセージ３で送信されたＣＣＣＨ  ＳＤＵがマッチ場合には、ランダムアクセスメッセージ４の受信に成功したとみなし、Ｔｅｍｐｏｒａｒｙ  Ｃ−ＲＮＴＩの値をＣ−ＲＮＴＩにセットし、ランダムアクセスプロシージャが完了したとみなす。
【０１１５】
これにより、Ｅ−ＰＤＣＣＨをデコードするよう設定された移動局装置１が、効率的にランダムアクセスプロシージャを行なうことができる。
【０１１６】
以下、本発明の第２の実施形態について詳しく説明する。
【０１１７】
本発明の第１の実施形態において、ＰＤＣＣＨ受信モード１の移動局装置１は、共通のペイロードサイズのＤＣＩフォーマット０とＤＣＩフォーマット１ＡをＰＤＣＣＨ領域の固有サーチスペースでモニタするが、ＰＤＣＣＨ受信モード２の移動局装置１は、Ｅ−ＰＤＣＣＨ領域の固有サーチスペースの第１スロットでＤＣＩフォーマット１Ａをモニタし、Ｅ−ＰＤＣＣＨ領域の固有サーチスペースの第２スロットでＤＣＩフォーマット０をモニタする。これにより、ＰＤＣＣＨ受信モード１と比べて、ＰＤＣＣＨ受信モード２の受信処理は複雑になる。
【０１１８】
図１１は、本発明の第２の実施形態におけるＰＤＣＣＨ受信モードとＤＣＩフォーマットとサーチペースの関係を示す図である。図３と図１１を比較すると、ＤＣＩフォーマット１Ａを共通サーチスペースでのみモニタする点が異なる。本発明の第２の実施形態では、ＰＤＣＣＨ受信モード２において、ＤＣＩフォーマット１Ａを共通サーチスペースでのみモニタすることで、ＰＤＣＣＨ受信モード２の受信処理を簡略化する。
【０１１９】
基地局装置３は、ＰＤＣＣＨ受信モード２の移動局装置１に、ランダムアクセスプロシージャの開始を指示するＤＣＩフォーマット１ＡをＰＤＣＣＨ領域の共通サーチスペースで送信する。つまり、基地局装置３は、ＰＤＣＣＨ受信モード２の移動局装置１に、ランダムアクセスプロシージャの開始を指示するＤＣＩフォーマット１ＡをＰＤＣＣＨのみで送信し、Ｅ−ＰＤＣＣＨでは送信しない。同様に、基地局装置３は、ＰＤＣＣＨ受信モード２の移動局装置１に、ランダムアクセスメッセージ４を共通サーチスペースのみで送信し、Ｅ−ＰＤＣＣＨでは送信しないようにしてもよい。
【０１２０】
これにより、Ｅ−ＰＤＣＣＨをデコードするよう設定された移動局装置１が、効率的にランダムアクセスプロシージャを行なうことができる。
【０１２１】
以下、本発明の第３の実施形態について詳しく説明する。
【０１２２】
本発明の第３の実施形態では、基地局装置３は、プライマリーセルのＰＤＣＣＨ受信モードに関係なく、プライマリーセルに対するランダムアクセスプロシージャの開始を指示する下りリンク制御情報をプライマリーセルのＰＤＣＣＨで送信する。基地局装置３は、ランダムアクセスプロシージャの開始を指示するセカンダリーセルのスケジューリングに用いられるサービングセルがプライマリーセルまたはＰＤＣＣＨ受信モード１のセカンダリーセルである場合には、該セカンダリーセルに対するランダムアクセスプロシージャの開始を指示する下りリンク制御情報をＰＤＣＣＨで送信する。基地局装置３は、ランダムアクセスプロシージャの開始を指示するセカンダリーセルのスケジューリングに用いられるサービングセルがＰＤＣＣＨ受信モード２のセカンダリーセルである場合には、該セカンダリーセルに対するランダムアクセスプロシージャの開始を指示する下りリンク制御情報をＥ−ＰＤＣＣＨで送信する。
【０１２３】
移動局装置１は、プライマリーセルにおいて、プライマリーセルとプライマリーセルが物理チャネルのスケジューリングをすることができるセカンダリーセルとに対するランダムアクセスプロシージャの開始を指示する下りリンク制御情報をＰＤＣＣＨでモニタする。移動局装置１は、ＰＤＣＣＨ受信モード１のセカンダリーセルにおいて、該セカンダリーセルが物理チャネルのスケジューリングをすることができるセカンダリーセルに対するランダムアクセスプロシージャの開始を指示する下りリンク制御情報をＰＤＣＣＨでモニタする。移動局装置１は、ＰＤＣＣＨ受信モード２のセカンダリーセルにおいて、該セカンダリーセルが物理チャネルのスケジューリングをすることができるセカンダリーセルに対するランダムアクセスプロシージャの開始を指示する下りリンク制御情報をＥ―ＰＤＣＣＨでモニタする。
【０１２４】
つまり、プライマリーセルで送信されるＰＤＣＣＨ  ｏｒｄｅｒは、プライマリーセルのＰＤＣＣＨ受信モードやＰＤＣＣＨ  ｏｒｄｅｒが対応するセカンダリーセルのＰＤＣＣＨ受信モードに関係なく、ＰＤＣＣＨでのみ送信される。これにより、プライマリーセルでは従来のＰＤＣＣＨを用いてランダムアクセスプロシージャを行なうことで、プライマリーセルのランダムアクセスプロシージャの手順を簡略化する一方、セカンダリーセルではＰＤＣＣＨ受信モードに応じてＰＤＣＣＨまたはＥ−ＰＤＣＣＨを用いて柔軟にランダムアクセスプロシージャを行なうことができる。また、これにより、Ｅ−ＰＤＣＣＨをデコードするよう設定された移動局装置１が、効率的にランダムアクセスプロシージャを行なうことができる。
【０１２５】
尚、基地局装置３は、プライマリーセルのＰＤＣＣＨ受信モードに関係なく、プライマリーセルに対するランダムアクセスプロシージャの開始を指示する下りリンク制御情報をプライマリーセルのＰＤＣＣＨで送信し、ランダムアクセスプロシージャの開始を指示するセカンダリーセルのスケジューリングに用いられるサービングセルがＰＤＣＣＨ受信モード１のサービングセル（プライマリーセルまたはセカンダリーセル）である場合には、該セカンダリーセルに対するランダムアクセスプロシージャの開始を指示する下りリンク制御情報をＰＤＣＣＨで送信し、ランダムアクセスプロシージャの開始を指示するセカンダリーセルのスケジューリングに用いられるサービングセルがＰＤＣＣＨ受信モード２のプライマリーセルである場合には、該セカンダリーセルに対するランダムアクセスプロシージャの開始を指示する下りリンク制御情報をＰＤＣＣＨまたはＥ−ＰＤＣＣＨで送信し、ランダムアクセスプロシージャの開始を指示するセカンダリーセルのスケジューリングに用いられるサービングセルがＰＤＣＣＨ受信モード２のセカンダリーセルである場合には、該セカンダリーセルに対するランダムアクセスプロシージャの開始を指示する下りリンク制御情報をＥ−ＰＤＣＣＨで送信してもよい。
【０１２６】
この際に、移動局装置１は、プライマリーセルのＰＤＣＣＨ受信モードに関係なく、プライマリーセルに対するランダムアクセスプロシージャの開始を指示する下りリンク制御情報をプライマリーセルのＰＤＣＣＨでモニタし、ランダムアクセスプロシージャの開始を指示するセカンダリーセルのスケジューリングに用いられるサービングセルがＰＤＣＣＨ受信モード１のサービングセル（プライマリーセルまたはセカンダリーセル）である場合には、該セカンダリーセルに対するランダムアクセスプロシージャの開始を指示する下りリンク制御情報をＰＤＣＣＨでモニタし、ランダムアクセスプロシージャの開始を指示するセカンダリーセルのスケジューリングに用いられるサービングセルがＰＤＣＣＨ受信モード２のプライマリーセルである場合には、該セカンダリーセルに対するランダムアクセスプロシージャの開始を指示する下りリンク制御情報をＰＤＣＣＨまたはＥ−ＰＤＣＣＨでモニタし、ランダムアクセスプロシージャの開始を指示するセカンダリーセルのスケジューリングに用いられるサービングセルがＰＤＣＣＨ受信モード２のセカンダリーセルである場合には、該セカンダリーセルに対するランダムアクセスプロシージャの開始を指示する下りリンク制御情報をＥ−ＰＤＣＣＨでモニタしてもよい。
【０１２７】
つまり、移動局装置１は、プライマリーセルに対するＰＤＣＣＨ  ｏｒｄｅｒは常にプライマリーセルのＰＤＣＣＨでモニタし、セカンダリーセルに対するＰＤＣＣＨ  ｏｒｄｅｒをモニタする物理チャネルを、該セカンダリーセルのスケジューリングに用いられる下りリンク制御情報が送信されるサービングセルや該サービングセルのＰＤＣＣＨ受信モードに応じて決定する。
【０１２８】
本発明に関わる基地局装置３、および移動局装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０１２９】
尚、上述した実施形態における移動局装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１３０】
尚、ここでいう「コンピュータシステム」とは、移動局装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１３１】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１３２】
また、上述した実施形態における移動局装置１、基地局装置３の一部、又は全部を典型的には集積回路であるＬＳＩとして実現してもよいし、チップセットとして実現してもよい。移動局装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１３３】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１３４】
１（１Ａ、１Ｂ、１Ｃ）  移動局装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  スケジューリング部
１０１５  ランダムアクセス制御部
３０１１  無線リソース制御部
３０１３  スケジューリング部
３０１５  ランダムアクセス制御部
【図１】
0005833862.tif 000002
【図２】
0005833862.tif 000003
【図３】
0005833862.tif 000004
【図４】
0005833862.tif 000005
【図５】
0005833862.tif 000006
【図６】
0005833862.tif 000007
【図７】
0005833862.tif 000008
【図８】
0005833862.tif 000009
【図９】
0005833862.tif 000010
【図１０】
0005833862.tif 000011
【図１１】
0005833862.tif 000012